(57)【要約】【課題】  収納空間に設けられた補助機能部に、制御基板と、タクトスイッチ押圧用の押圧部と、ＬＥＤを搭載した表示基板とをコンパクトに収納できる空気調和機を提供することを目的とする。【解決手段】  補助機能部１６は、複数の導光部材７を保持する前面ケース１７と、基板収納部１８ａを形成した後面ケース１８とで構成され、基板収納部１８ａには制御基板１９が縦置き状態で固定され、その前方にはタクトスイッチ１９ｂを押圧する押圧部１７ｅが設けられる一方、複数のＬＥＤ２１を搭載した表示基板２０が押圧部１７ｅと干渉しないようにＬＥＤ２１を下方に向けて収納部１７ｊに収納されるようになっている。また、ＬＥＤ２１が近接していることにより導光部材７は小型化されている。【選択図】図８
2013148295.tif 000002
【特許請求の範囲】
【請求項１】
前面パネルとケーシングとからなる本体に吸込口と吹出口とを備え、前記本体内の前面側に熱交換器を備え、前記本体内に送風ファンを設け、前記熱交換器の下方に露受皿を設け、前記本体前面下部に表示部とスイッチ操作部を設けた空気調和機において、
前記前面パネルと前記露受皿との間に形成され、本体前面の前面が開口された凹状の収納空間に、タクトスイッチを備えた制御基板を前記露受皿側に縦置き状態で配置し、同制御基板の前方に、一端を前記スイッチ操作部に臨ませ、他端が前記タクトスイッチを押圧する押圧部材を設ける一方、同押圧部材の下方に、複数のＬＥＤを搭載した表示基板を、前記ＬＥＤが下向きとなるように水平状態で配置し、前記表示基板のＬＥＤの下方に、同ＬＥＤからの光を前記表示部に導く導光部材を配置したことを特徴とする空気調和機。
【請求項２】
前記収納空間の前面側に前面ケースを設け、同前面ケースには、前記押圧部材の少なくとも一部が保持されるとともに、前記表示基板を固定する係止爪を備えた収納部が形成され、前記前面ケースの前面に前記導光部材を保持する保持溝が形成されてなることを特徴とする請求項１に記載の空気調和機。
【発明の詳細な説明】
【技術分野】
【０００１】
本発明は、空気調和機に関わり、より詳細には表示部の構成に関するものである。
【背景技術】
【０００２】
空気調和機は、本体の前面及び上面に吸込口を設け、前面下部に吹出口を設けている。吸込口と吹出口とを結ぶ空気通路には、熱交換器と送風ファンとが設けられ、吸込口から吸込まれた空気は熱交換器を通過して冷媒と熱交換された後、送風ファンにより吹出口から室内に吹出されるようになっている。
【０００３】
本体を構成する前面パネルの下部一側には運転状態を表示する表示部が設けられている。表示部の裏面には、発光素子としての複数のＬＥＤを搭載した表示基板が設けられ、ＬＥＤから照射された光は表示部に設けられた透明なアクリル材を介して表示されるようになっている。
【０００４】
特許文献１で示す空気調和機は、表示部で表示を行なう表示装置に円弧状に形成された導光部材と、ＬＥＤを搭載した表示基板を設けている。導光部材の一端は表示部の表示面となり、導光部材の他端には表示基板に搭載されたＬＥＤが臨むように配置されている。
【０００５】
ＬＥＤから導光部材に向けて光が出射されると、光は円弧状に形成された導光部材内部を通り、表示部で出射するようになっている。これにより、表示部と複数のＬＥＤを搭載した表示基板が離間していても表示部での表示を行なうことができるようになっている。
【０００６】
一方、近年においては空気調和機はフィルタ自動清掃や人検知装置等の追加機能が増加してきており、これらを制御する制御基板が、空調制御を行なう主制御基板とは別に本体内に設けられるようになっている。また、リモートコントローラが無いような場合、あるいはメンテナンス作業時において、制御基板を直接操作できるように制御基板には手動で操作できる棒状部材を備えたタクトスイッチが設けられている。
【０００７】
表示部で表示を行なう導光部材とＬＥＤを搭載した表示基板とを備えた表示装置と、フィルタ自動清掃や人検知装置等を制御する制御基板とを空気調和機の本体内に別個に設けると本体内に新たなスペースが必要になる一方、同一箇所に設けようとすると、表示装置はＬＥＤの光を導光する為、本体の前面側に配置する必要があり、制御基板は本体の奥側に配置されることとなる。
【０００８】
しかしながら、表示装置の奥側に、タクトスイッチを備えた制御基板を配置し、その前方にタクトスイッチを押圧する棒状部材等を配置したような場合、ＬＥＤを搭載した表示基板及び円弧状に形成された導光部材が、タクトスイッチを押圧する棒状部材の配置の障害となり、表示装置と制御基板とを収納する収納空間を拡大する必要があった。また、収納空間を拡大すると空気調和機本体のコンパクト化の妨げとなる虞があった。
【先行技術文献】
【特許文献】
【０００９】
【特許文献１】特開２００３−２２３１２５号（３頁、図２）
【発明の概要】
【発明が解決しようとする課題】
【００１０】
本発明は、上記問題点に鑑み、本体前面の前面が開口された凹状の収納空間に、タクトスイッチを備えた制御基板と、タクトスイッチ押圧用の棒状部材と、ＬＥＤを搭載した表示基板とをコンパクトに収納できる空気調和機を提供することを目的とする。
【課題を解決するための手段】
【００１１】
本発明は、上記課題を解決するため、前面パネルとケーシングとからなる本体に吸込口と吹出口とを備え、前記本体内の前面側に熱交換器を備え、前記本体内に送風ファンを設け、前記熱交換器の下方に露受皿を設け、前記本体前面下部に表示部とスイッチ操作部を設けた空気調和機において、前記前面パネルと前記露受皿との間に形成され、本体前面の前面が開口された凹状の収納空間に、タクトスイッチを備えた制御基板を前記露受皿側に縦置き状態で配置し、同制御基板の前方に、一端を前記スイッチ操作部に臨ませ、他端が前記タクトスイッチを押圧する押圧部材を設ける一方、同押圧部材の下方に、複数のＬＥＤを搭載した表示基板を、前記ＬＥＤが下向きとなるように水平状態で配置し、前記表示基板のＬＥＤの下方に、同ＬＥＤからの光を前記表示部に導く導光部材を配置した構成となっている。
【００１２】
また、前記収納空間の前面側に前面ケースを設け、同前面ケースには、前記押圧部材の少なくとも一部が保持されるとともに、前記表示基板を固定する係止爪を備えた収納部が形成され、前記前面ケースの前面に前記導光部材を保持する保持溝が形成されてなる構成となっている。
【発明の効果】
【００１３】
本発明によれば、収納空間の奥側に、タクトスイッチを備えた制御基板を縦置き状態で収納する一方、制御基板の前方に、複数のＬＥＤを搭載した表示基板を水平状態で配置し、同表示基板の上方に押圧部材を設け、表示基板のＬＥＤの下方に導光部材を配置することにより、狭い収納空間であっても、上記した、制御基板、押圧部材及び表示基板を効率的に配置することができるようになっている。
【００１４】
また、収納空間の前面側に設けられた前面ケースに、押圧部材の一部が保持されるとともに、表示基板を固定する係止爪を備えた収納部が形成され、前面に前記導光部材を保持する保持溝が形成されることにより、これら押圧部材、収納部及び導光部材を集中して配置させることができる。
【図面の簡単な説明】
【００１５】
【図１】本発明による空気調和機を示す外観斜視図である。
【図２】本発明による空気調和機の断面図である。
【図３】本発明による空気調和機の表示部を示す斜視図である。
【図４】本発明による空気調和機の表示部を示す分解斜視図である。
【図５】表示基板を示す斜視図である。
【図６】表示基板の表示装置への装着を示す説明図である。
【図７】表示基板が装着された状態を示す説明図である。
【図８】表示制御基板と、表示基板と、タクトスイッチ押圧用の押圧部材材との位置関係を示す説明図である。
【発明を実施するための形態】
【００１６】
以下、本発明の実施の形態を、添付図面に基づいた実施例として詳細に説明する。
【実施例】
【００１７】
本発明による空気調和機は、図１（Ａ）の外観斜視図で示すように、箱体状に形成されたケーシング１の前面に前面パネル２を設け本体を構成しており、前面パネル２は上端部を図示しない軸により回動自在に軸支されている。本体の前面下部には上下風向板４を備えた吹出口３が設けられ、運転停止時、上下風向板４は塵埃の侵入を防止する為、吹出口３を閉鎖するようになっている。
【００１８】
本体下部中央には、人体の有無及び動きを検出する人検知センサ５が設けられ、本体下部一側には、主電源スイッチ８が設けられている。また、人検知センサ５と主電源スイッチ８との間には、複数の導光部材７を配設した表示部６が設けられている。
【００１９】
前面パネル２を前面側に開くと、図１（Ｂ）に示すように、本体の前面下部一側には、空調制御を行なう主制御機能とは異なり、二種類のスイッチの操作で、後述する補助制御機能を有する制御基板のタクトスイッチを操作する第一スイッチ操作部用の孔１ｂと第二スイッチ操作部用の孔１ｃとが設けられている。第一スイッチ操作部１ｂは、電波式の無線リモートコントローラが特定の機種を動作させるペアリングや、図示しない室外機に冷媒を強制的に収納させる強制運転モード運転時に使用され、第二スイッチ操作部１ｃは、電波式の無線リモートコントローラを使用しない自動運転モード時や、後述するフィルタ自動清掃装置９ａを作動させる際に使用されるようになっている。
【００２０】
次に、本体内の内部構成について説明する。図２の断面図で示すように、本体の上面には上面吸込口１ａが設けられ、同上面吸込口１ａと吹出口３とを結ぶ空気流路には、平行して並べられたフィンと、同フィンに直交するように配設された伝熱管とからなり、本体の前面側に熱交換器１０として前面上部熱交換器１０ａと前面下部熱交換器１０ｂが設けられている。また、本体の後面側にも後面上部熱交換器３０が設けられ、本体内には熱交換器１０及び後面上部熱交換器３０で冷媒と熱交換された空気を吹出口３から室内に吹出す送風ファン１１が設けられている。
【００２１】
また、前面下部熱交換器１０ｂの下方には、前面上部熱交換器１０ａと前面下部熱交換器１０ｂとから滴下する凝縮水を受ける前面露受皿１２が設けられ、後面上部熱交換器１０ｃの下方には、同後面上部熱交換器１０ｃから滴下する凝縮水を受ける後面露受皿１３が設けられている。
【００２２】
送風ファン１１と吹出口３とを結ぶ吹出流路には、複数の左右風向板１４と上下風向板４とが設けられ、左右風向板１４の下方には、暖房運転時、下方に開くディフューザ１５が設けられている。
【００２３】
上面吸込口１ａと熱交換器１０との間には、フィルタを収納するフィルタ収納部９ｂが設けられ、本体の前部にはフィルタの自動清掃を行なうフィルタ自動清掃装置９ａと、自動清掃の際、フィルタを移動させる為の移動経路９ｃが設けられている。
【００２４】
また、本体の一側には、空気調和機の空調制御を行なう主機能を有した主制御基板を収納した図示しない制御部が設けられている。尚、本実施例においては、主機能を有する制御基板の他に、後述する補助機能部に制御基板を設けた構成として説明しているが、補助機能部の制御基板に空気調和機の空調制御を行なう主機能を持たせてもよい。
【００２５】
前面パネル２と前面露受皿１２との間であって、上方に移動経路９ｃが配置された部位には、前面が開口された凹状の収納空間１ｄが形成され、同収納空間１ｄには、前述した人検知センサ５や後述するスピーカ部２２、制御基板１９及び表示基板２０等を組み込んだ補助機能部１６が収納されるようになっている。
【００２６】
補助機能部１６は図３（Ａ）の斜視図で示すように、前面ケース１７と後述する後面ケース１８とで筐体を構成している。前面ケース１７は、前面下部には表示部６に臨む複数の導光部材７を保持しており、夫々の導光部材７の上方には、後述する表示基板２０に搭載された発光素子としてのＬＥＤ２１が複数配置されている。表示基板２０はＬＥＤ２１が下方を向くように水平状態で配置され、ＬＥＤ２１から発光された光は導光部材７の上面に向けて照射されるようになっている。
【００２７】
前述した第一スイッチ操作部用の孔１ｂと第二スイッチ操作部用の孔１ｃには後述する押圧部材１７ｅの先端部が臨むように配置されている。前面ケース１７には、押圧部材１７ｅの中央一部が後述する支持片１７ｈの接続部１７ｋにより前面ケース１７本体と接続されることで前面ケース１７に保持されており、支持片１７ｈの撓りにより押圧部材１７ｅは前後方向に移動可能となっている。これにより、第一調整スイッチ部用の孔１ｂと第二調整スイッチ部用の孔に臨んだ押圧部材１７ｅの先端部が手により押されると、押圧部材１７ｅが後方に移動し、後述する制御基板１９に設けられたタクトスイッチ１９ｂが夫々押圧されるようになっている。また、前面ケース１７には表示基板２０を収納する後述する収納部１７ｊは押圧部材１７ｅと干渉しないよう、押圧部材１７ｅの下方に設けられている。
【００２８】
導光部材７は透明あるいは半透明な樹脂材からなり、図３（Ｂ）の要部詳細図で示すように、直方体形状に形成され、上面に光が入射されると下方に向けて入射された光を伝搬させ下面から出射するようになっている。前面ケース１７には導光部材７を固定する縦長状の保持溝１７ａが複数形成されており、同保持溝１７ａに挟持されるように導光部材７は保持されるようになっている。
【００２９】
導光部材７が保持溝１７ａに保持されると、保持溝１７ａを構成する左右の側壁１７ｂが導光部材７の両側に位置することにより、導光部材７の上面に入射した光は左右方向に散乱することなく下面まで導びかれ表示部６で表示を行なうようになっている。
【００３０】
図４の分解斜視図で示す補助機能部１６は、前述したように導光部材７を複数保持した前面ケース１７と、同前面ケース１７が被着される後面ケース１８とで筐体を構成している。後面ケース１８は前面側が開放された箱体状に形成され、内部に制御基板１９を収納する制御基板収納部１８ａを形成している。尚、補助機能部１６は、前面が開口された凹状の収納空間１ｄに収納され、前面ケース１７と後面ケース１８とで筐体を構成し、後面ケース１８に制御基板１９を収納しているが、これに限定されるものではなく、後面ケース１８の替わりに収納空間１ｄに制御基板１９を支持部材により支持しても良い。
【００３１】
制御基板１９は多数の電装部品を搭載し、制御基板収納部１８ａの奥側であって前面露受皿１２側となる位置に縦置き状態で固定されるようになっている。複数のＬＥＤ２１を搭載した表示基板２０は制御基板１９の前面側に水平状態で配置されるようになっている。
【００３２】
表示基板２０は、図５で示すように、小型矩形状に形成され、下面に発光色の異なる複数のＬＥＤ２１を搭載している。
【００３３】
次に、表示基板２０の補助機能部１６への装着について説明する。図６は本体から前面パネル２を外した状態を示す断面図である。押圧部材１７ｅは後述する収納部１７ｊの上壁から後方に向かい突設された支持片１７ｈに支持され前後方向に往復動可能となっている。補助機能部１６を構成する前面ケース１７の上部には、表示基板２０が挿通できる矩形状の挿通孔１７ｆが形成され、同挿通孔１７ｆを形成する下面壁１７ｃには表示基板２０の前縁を係止できる係止爪１７ｃが上方に向けて左右一対に突設されている。また、挿通孔１７ｆの後方には表示基板２０を収納する収納部１７ｊが形成され、収納部１７ｊの下面壁１７ｃには、表示基板２０の下面に搭載された複数のＬＥＤ２１が挿入される挿入孔１７ｄが穿設されている。
【００３４】
複数のＬＥＤ２１を搭載した表示基板２０を補助機能部１６に装着する際は、図６の矢印で示すように、表示基板２０を傾けた状態で、前面ケース１７に開口された矩形状の挿通孔１７ｆを挿通させ収納部１７ｊに収納する。
【００３５】
続いて、図７で示すように、ＬＥＤ２１を挿通孔１７ｄに挿通させながら水平状態となるように表示基板２０の前縁を下方に押し込む。これにより、ＬＥＤ２１が挿入孔１７ｄに挿入される一方、表示基板２０の前縁が係止爪１７ｇに係止され、前面ケース１７の収納部１７ｊに表示基板２０が固定されるようになっている。また、表示基板２０の後端側は収納部１７ｊの後壁に当接するようになっている。
【００３６】
補助機能部１６内に固定された制御基板１９と表示基板２０の状態を図８の説明図にて説明する。補助機能部１６の奥側には多数の電装部品１９ａを搭載した制御基板１９が縦置き状態で配置されており、制御基板１９には電装部品１９ａとともに、タクトスイッチ１９ｂが左右一対に搭載されている。
【００３７】
前述したように、前面ケース１７には円筒形状に形成され前後方向に可動できる押圧部材１７ｅがタクトスイッチ１９ｂに対応して、補助機能部１６内を前後に貫通するように設けられている。複数のＬＥＤ２１を下面側に搭載した表示基板２０は押圧部材１７ｅに干渉しないように、押圧部材１７ｅの下方に水平状態で配置されるようになっている。
【００３８】
以上、説明したように、本体の収納空間１ｄの奥側に制御基板１９を配置し、同制御基板１９の前方に表示基板２０を配置した場合においても、複数のＬＥＤ２１を搭載した表示基板２０が補助機能部１６内を前後に貫通する押圧部材１７ｅに干渉しないように、押圧部材１７ｅの下方に水平状態で配置されることにより補助機能部１６の大型化を抑制することができ、これにより
収納空間１ｄを拡幅することなく、同収納空間１ｄに補助機能部１６を収納することができるようになっている。また、表示基板２０を装着する際は、補助機能部１６の前面ケース１７に形成された挿通孔１７ｆを介して前面側から挿通させ、係止爪１７ｃに係止させることにより固定することができ、螺子等の固定部材を不要として容易に装着することができ、空気調和機の組立作業を容易に行なうことができるようになっている。また、表示基板２０が前面ケース１７内に配置されることにより、導光部材７との距離が近くなり、導光部材７を小型化することで導光部材７のコストダウンを行なうことができる。
【符号の説明】
【００３９】
１  ケーシング
１ａ  上面吸込口
１ｂ  第一スイッチ操作部用の孔
１ｃ  第二スイッチ操作部用の孔
２  前面パネル
３  吹出口
４  上下風向板
５  人検知センサ
６  表示部
７  導光部材
８  主電源スイッチ
９ａ  フィルタ自動清掃装置
９ｂ  フィルタ収納部
９ｃ  移動経路
１０  熱交換器
１０ａ  前面上部熱交換器
１０ｂ  前面下部熱交換器
１０ｃ  後面上部熱交換器
１１  送風ファン
１２  前面露受皿
１３  後面露受皿
１４  左右風向板
１５  ディフューザ
１６  補助機能部
１７  前面ケース
１７ａ  保持溝
１７ｂ  側壁
１７ｃ  下面壁
１７ｄ  挿入孔
１７ｅ  押圧部材
１７ｆ  挿通孔
１７ｇ  係止爪
１７ｊ  収納部
１７ｋ  接続部
１８  後面ケース
１８ａ  制御基板収納部
１９  表示制御基板
１９ａ  電装部品
１９ｂ  タクトスイッチ
２０  表示基板
２１  ＬＥＤ
２２  スピーカ部
【図１】
2013148295.tif 000003
【図２】
2013148295.tif 000004
【図３】
2013148295.tif 000005
【図４】
2013148295.tif 000006
【図５】
2013148295.tif 000007
【図６】
2013148295.tif 000008
【図７】
2013148295.tif 000009
【図８】
2013148295.tif 000010